【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
サスペンションを有するディスク・ドライブにおいて、前記サスペンションは、
アクチュエータ・アームに取り付けるための取り付け板と、
スライダを担持するための機能的端部と、
前記取り付け板と前記機能的端部との間に配置されたヒンジと、
前記サスペンションを前記アクチュエータ・アームに取り付けるための、前記取り付け板上に設けられた取り付け構造と、
静止アクチュエータ支持領域によって一方の端で境界を定められ、アクチュエータの動作によって回転するようになっている回転要素によって他方の端で境界を定められ、前記回転要素の自由端は、前記ヒンジの１つに動作可能なように接続している前記取り付け板上に設けられ、前記取り付け構造と縦方向に重なり合う関係で配置され、静止アクチュエータ支持領域と回転要素の間にこの回転要素が前記取り付け板中央で回転できるように空間が設けられた一対のアクチュエータ受容ギャップと、
前記取り付け構造と縦方向に重なり合う関係で配置され、前記ヒンジに動作可能なように接続されており、さらに前記機能的端部の揺れ変位を生ぜしめるようになっている一対のアクチュエータとを有することを特徴とするディスク・ドライブ。
【請求項２】
前記一対のアクチュエータは、互いに非平行の関係で位置合わせされていることを特徴とする請求項１に記載のディスク・ドライブ。
【請求項３】
前記一対のアクチュエータは、互いに平行の関係で位置合わせされていることを特徴とする請求項１に記載のディスク・ドライブ。
【請求項４】
前記ヒンジは、前記取り付け板と前記機能的端部の間に伸びる、横方向に間隔をあけた一対のヒンジ・ビームを備えることを特徴とする請求項１に記載のディスク・ドライブ。
【請求項５】
前記回転要素の回転運動を制御するために接続された一対の補強材アームをさらに備える請求項１に記載のディスク・ドライブ。
【請求項６】
前記ヒンジは、前記取り付け板と重なり合って係合するとともに前記アクチュエータ受容ギャップの下に伸びて前記アクチュエータを支える補強材部分を備える請求項１に記載のディスク・ドライブ。
【請求項７】
前記取り付け板は、前記アクチュエータ受容ギャップ内で前記アクチュエータの高さまで伸びるのに十分な厚さを有する単一の材料シートを備え、さらに、前記回転要素は前記材料シートから形成される請求項６に記載のディスク・ドライブ。
【請求項８】
前記取り付け板は、前記アクチュエータ受容ギャップ内で前記アクチュエータの高さまで伸びるのに十分な厚さを全体で有する複数の材料シートを備え、さらに、前記回転要素は前記複数の材料シートの１つから形成される請求項６に記載のディスク・ドライブ。
【請求項９】
前記複数の材料シートは、取り付け板部材と補強材部材を備えるとともに、前記サスペンションの前記機能的端部のロード・ビーム・シート部材を形成するために用いられるシート材料から作られたロード・ビーム拡張端部材を備え、前記回転要素は前記ロード・ビーム拡張端部材から形成される請求項８に記載のディスク・ドライブ。
【請求項１０】
前記サスペンションは、前記取り付け板から前記スライダまで伸びている導線要素をさらに備え、前記導線要素は前記サスペンションの中心縦軸に沿って前記ヒンジに及んでいる請求項１に記載のディスク・ドライブ。
【請求項１１】
前記サスペンションは、導線要素と、前記取り付け板から前記スライダまで伸びている導線支持用フレクシャ構造とをさらに備え、前記フレクシャ構造は、前記機能的端部の揺れ変位に対する抵抗を緩和するための可撓性構造を有する請求項１に記載のディスク・ドライブ。
【請求項１２】
前記サスペンションは、導線要素と、前記取り付け板から前記スライダまで伸びている導線支持用フレクシャ構造とをさらに備え、前記フレクシャ構造は前記アクチュエータの１つと平行な区域において長さ調節可能なセクションを有し、それによってアクチュエータのストローク変位に対する抵抗を緩和する請求項１に記載のディスク・ドライブ。
【請求項１３】
前記サスペンションの全長は、１２．５ミリメートル以下である請求項１に記載のディスク・ドライブ。
【請求項１４】
サスペンションを有するディスク・ドライブにおいて、前記サスペンションは、
アクチュエータ・アームに取り付けるための第１の端部と、
スライダを担持するための第２の端部と、
前記第１の端部と前記第２の端部とを可撓性を持たせて相互接続するための可撓性手段と、
前記第１の端部を前記アクチュエータ・アームに取り付けるためのサスペンション取り付け手段と、
前記第１の端部は、前記アクチュエータ手段を支えるための一対のアクチュエータ受容手段を提供するように構成され、前記一対のアクチュエータ受容手段の各々は、静止アクチュエータ支持領域によって一方の端で境界を定められ、前記アクチュエータ手段の動作によって回転するようになっている回転要素によって他方の端で境界を定められ、前記回転要素の各々は、前記ヒンジ・ビームの１つに動作可能なように接続している
静止アクチュエータ支持領域によって一方の端で境界を定められ、アクチュエータの動作によって回転するようになっている回転要素によって他方の端で境界を定められ、前記回転要素の自由端は、前記可撓性手段の１つに動作可能なように接続している前記第１の端部に設けられ、前記サスペンション取り付け手段と縦方向に重なり合う関係で配置され、静止アクチュエータ支持領域と回転要素の間にこの回転要素が前記第１の端部中央で回転できるように空間が設けられた一対のアクチュエータ受容手段と、
前記サスペンション取り付け手段と縦に重なり合う関係で配置されているとともに、前記可撓性手段と係合して、前記第２の端部の揺れ変位を生じさせる作動手段とを有するディスク・ドライブ。
【請求項１５】
前記作動手段は、互いに非平行の関係で位置合わせされたデュアル・アクチュエータを備える請求項１４に記載のディスク・ドライブ。
【請求項１６】
前記作動手段は、互いに平行の関係で位置合わせされたデュアル・アクチュエータを備える請求項１４に記載のディスク・ドライブ。
【請求項１７】
前記可撓性手段は、前記第１の端部と前記第２の端部との間に伸びる、横方向に間隔をあけた一対のヒンジ・ビームを備える請求項１４に記載のディスク・ドライブ。
【請求項１８】
前記回転要素の回転運動を制御するために接続された一対の補強材アームをさらに備える請求項１４に記載のディスク・ドライブ。
【請求項１９】
前記可撓性手段は、前記第１の端部を補強するための補強手段を備え、前記補強手段は、前記第１の端部に重ね合わせて係合されているとともに、前記アクチュエータ受容手段の下に伸びて前記アクチュエータ手段を支える請求項１４に記載のディスク・ドライブ。
【請求項２０】
前記第１の端部は、前記アクチュエータ手段が前記アクチュエータ受容手段の中で受け取られるとき、前記アクチュエータ手段の高さまで伸びるのに十分な厚さを有する単一の材料シートを備える請求項１９に記載のディスク・ドライブ。
【請求項２１】
前記第１の端部は、前記アクチュエータ手段が前記アクチュエータ受容手段によって受け取られるとき、前記アクチュエータ手段の高さまで伸びるのに十分な厚さを全体で有する複数の材料シートを備え、さらに、前記回転要素は前記複数の材料シートの１つから形成される請求項１９に記載のディスク・ドライブ。
【請求項２２】
前記複数の材料シートは、取り付け板部材と補強材部材を備えるとともに、前記サスペンションの前記第２の端部のロード・ビーム・シート部材を形成するために用いられるシート材料から作られたロード・ビーム拡張端部材を備え、前記回転要素は前記ロード・ビーム拡張端部材から形成される請求項２１に記載のディスク・ドライブ。
【請求項２３】
前記サスペンションは、前記第１の端部から前記スライダまで伸びる導線要素をさらに備え、前記導線要素は、前記サスペンションの中心縦軸に沿って前記可撓性手段まで及んでいる請求項１４に記載のディスク・ドライブ。
【請求項２４】
前記サスペンションは、導線要素と、前記第１の端部から前記スライダまで伸びる支持用フレクシャ構造とをさらに含み、前記フレクシャ構造は、前記第２の端部の揺れ変位に対する抵抗を緩和するための可撓性構造を有する請求項１４に記載のディスク・ドライブ。
【請求項２５】
前記サスペンションは、導線要素と、前記第１の端部から前記スライダまで伸びる支持用フレクシャ構造とをさらに含み、前記フレクシャ構造は前記アクチュエータ手段と平行な区域において長さ調節可能なセクションを有し、それによってアクチュエータ手段のストローク変位に対する抵抗を緩和する請求項１４に記載のディスク・ドライブ。
【請求項２６】
前記サスペンションの全長は、１２．５ミリメートル以下である請求項１４に記載のディスク・ドライブ。
【請求項２７】
ディスク・ドライブ用のサスペンションであって、
一次アクチュエータに取り付けるようになっている取り付け板と、
スライダを担持するようになっている機能的端部と、
前記取り付け板と前記機能的端部との間に配置されたヒンジと、
前記サスペンションを前記一次アクチュエータに取り付けるための、前記取り付け板上に設けられた取り付け構造と、
静止アクチュエータ支持領域によって一方の端で境界を定められ、アクチュエータの動作によって回転するようになっている回転要素によって他方の端で境界を定められ、前記回転要素の自由端は、前記ヒンジの１つに動作可能なように接続している前記取り付け板上に設けられ、前記取り付け構造と縦方向に重なり合う関係で配置され、静止アクチュエータ支持領域と回転要素の間にこの回転要素が前記取り付け板中央で回転できるように空間が設けられた一対のアクチュエータ受容ギャップと、
前記取り付け構造と縦方向に重なり合う関係で配置されているとともに、前記ヒンジに動作可能なように接続されて、前記スライダの揺れ変位を生じさせる一対の二次アクチュエータとを有するサスペンション。
【請求項２８】
ディスク・ドライブと組み合わせる請求項２７に記載のサスペンション。